(57)【特許請求の範囲】
【請求項１】
昇降路内に立設され、昇降体の昇降を案内する一対のガイドレールをそれぞれ固定するエレベータガイドレールの固定装置において、
第１の面と第２の面が直交して略Ｌ字状に形成され、一方の面が昇降路壁に固定具により固定される壁側金具は、この壁側金具の前記第１の面および前記第２の面のそれぞれに、他方の面が前記昇降路壁に固定されたときに水平方向に沿って斜めに開口される第１の長穴と、この第１の長穴と対称となるように斜めに開口される第２の長穴とが設けられるとともに、第１の面と第２の面が直交して略Ｌ字状に形成され、一方の面に前記ガイドレールが取付けられるとともに、他方の面が壁側金具に固定されるレール側金具は、このレール側金具の前記第１の面および前記第２の面のそれぞれに、前記第１の長穴と対向可能で、かつ交差する方向に開口される第３の長穴と、前記第２の長穴と対向可能で、かつ交差する方向に開口される第４の長穴とが設けられ、一方、前記壁側金具の前記第１の面に開口され対となる前記第１の長穴および前記第２の長穴と、前記第２の面に開口され対となる前記第１の長穴および前記第２の長穴との開口位置を水平方向に沿って異なるものとするとともに、前記レール側金具の前記第１の面に開口され対となる前記第３の長穴および前記第４の長穴と、前記第２の面に開口され対となる前記第３の長穴および前記第４の長穴との開口位置を水平方向に沿って異なるものとし、かつ、前記壁側金具および前記レール側金具のそれぞれの第１の面と第２の面とを組み替えて用いることにより前記ガイドレールの位置調整を行うことを特徴とするエレベータガイドレールの固定装置。
【請求項２】
前記壁側金具の前記第１の面および前記第２の面のそれぞれに、当該面が前記昇降路壁に固定されたときに鉛直方向に開口される縦長穴と、この縦長穴と直交する方向に開口される横長穴とを設けるとともに、これらの縦長穴および横長穴の短手方向の幅寸法を前記固定具の径と略同一とし、これらの縦長穴および横長穴を介して前記固定具により前記壁側金具を固定することを特徴とする請求項１記載のエレベータガイドレールの固定装置。
【発明の詳細な説明】
【０００１】
【発明の属する技術分野】
本発明は、昇降体である乗かごやつり合いおもりの走行を案内するガイドレールを昇降路壁に固定するエレベータガイドレールの固定装置に関する。
【０００２】
【従来の技術】
一般にエレベータの昇降路内に立設され昇降体の走行を案内するガイドレールは、このガイドレールが取付けられるレール側金具と、このレール側金具を昇降路壁に固定する壁側金具とからなる固定装置により昇降路壁に固定されている。
【０００３】
また、レール側金具および壁側金具はともに水平面と垂直面とによって略Ｌ字状に形成されており、それぞれの水平面には、一対のガイドレールを結ぶ直線方向、すなわち水平方向に縦長穴が設けられるとともに、壁側金具の垂直面にはガイドレールの立設方向と直行する方向、すなわち奥行き方向に横長穴が設けられている。
【０００４】
そして、それぞれの縦長穴を当接させた状態で、両縦長穴の相対位置が適切となるように調整することによりガイドレールの水平方向の位置を調整するとともに、壁側金具の横長穴の適宜位置でこの垂直面を昇降路壁に固定することによりガイドレールの奥行き方向の位置を調整している。次いで、調整により正規の位置にガイドレールが固定されると、位置ずれを防止するために、壁側金具を固定する固定具、すなわちアンカーボルトと壁側金具を溶着するとともに、壁側金具とレール側金具を溶着している。
【０００５】
しかしながら、前述した溶接作業は熟練を要する煩雑なものであった。このため、従来、壁側金具の固定具用固定穴を縦長穴と横長穴とすることにより位置ずれを防止し、固定具と壁側金具との溶接作業を不要としたガイドレール固定装置が特開平４−１８２２８９号公報に記載されている。なお、この固定装置にあっては、壁側金具で奥行き方向のガイドレールの位置調整ができないため、レール側金具を奥行き方向と水平方向の両方向に変位させ、ガイドレールの位置を調整するようにしていた。
【０００６】
また、従来、溶接作業を不要とするため、壁側金具およびレール側金具の当接し合う水平面に各々、縦長穴および横長穴を組み合わせて位置調整をするものも提案されている。
【０００７】
【発明が解決しようとする課題】
ところで、前述した従来のガイドレール固定装置では、水平方向への調節代が十分ではなく、ガイドレールを適切な位置に変位させ、調整することが難しいという不都合があった。すなわち、一般的な固定装置では壁側金具およびレール側金具の両水平面に縦長穴を設けていたことから両縦長穴分の調整代があったが、従来のものではレール側金具の水平面に設けた縦長穴のみで水平方向の調整代を確保しているため、調整代が約半分になってしまい、ガイドレールを適切な位置に調整することが難しいという不都合があった。
【０００８】
また、後述した壁側金具およびレール側金具の当接し合う水平面に各々、縦長穴および横長穴を組み合わせて位置調整をするものでは、固定装置に設けられた縦長穴および横長穴と、ガイドレールを把持するためのレールクリップを取付けるレールクリップ穴との干渉を回避するため、レール側金具の形状を大きくする必要が生じ、したがって昇降路スペースを広げなければならず、溶接作業の削減とスペースの効率化を両立することが困難であった。
【０００９】
本発明はこのような従来技術における実情に鑑みてなされたもので、その目的は、溶接作業を最小限化するとともに、ガイドレールの位置調整代を十分に確保し、かつ小型化を図ることのできるエレベータガイドレールの固定装置を提供することにある。
【００１０】
【課題を解決するための手段】
この目的を解決するために本発明の請求項1記載に係る発明は、昇降路内に立設され、昇降体の昇降を案内する一対のガイドレールをそれぞれ固定するエレベータガイドレールの固定装置において、第１の面と第２の面が直交して略Ｌ字状に形成され、一方の面が昇降路壁に固定具により固定される壁側金具は、この壁側金具の前記第１の面および前記第２の面のそれぞれに、他方の面が前記昇降路壁に固定されたときに水平方向に沿って斜めに開口される第１の長穴と、この第１の長穴と対称となるように斜めに開口される第２の長穴とが設けられるとともに、第１の面と第２の面が直交して略Ｌ字状に形成され、一方の面に前記ガイドレールが取付けられるとともに、他方の面が壁側金具に固定されるレール側金具は、このレール側金具の前記第１の面および前記第２の面のそれぞれに、前記第１の長穴と対向可能で、かつ交差する方向に開口される第３の長穴と、前記第２の長穴と対向可能で、かつ交差する方向に開口される第４の長穴とが設けられ、一方、前記壁側金具の前記第１の面に開口され対となる前記第１の長穴および前記第２の長穴と、前記第２の面に開口され対となる前記第１の長穴および前記第２の長穴との開口位置を水平方向に沿って異なるものとするとともに、前記レール側金具の前記第１の面に開口され対となる前記第３の長穴および前記第４の長穴と、前記第２の面に開口され対となる前記第３の長穴および前記第４の長穴との開口位置を水平方向に沿って異なるものとし、かつ、前記壁側金具および前記レール側金具のそれぞれの第１の面と第２の面とを組み替えて用いることにより前記ガイドレールの位置調整を行う構成にしてある。
【００１１】
前記のように構成した本発明の請求項1に係る発明によれば、壁側金具の第１の面および第２の面の一方の面を昇降路壁に当接して固定具により固定するとともに、レール側金具の第１の面および前記第２の面の一方の面にガイドレールを取付け、このレール側金具の他方の面を壁側金具の他方の面に当接させる。そして、第１の長穴と第３の長穴、および第２の長穴と第４の長穴をそれぞれ対向させ、それぞれの長穴の長手方向の幅寸法を用いてガイドレールを適切な位置に調整し固定する。これによって、壁側金具に設けられた長穴およびレール側金具に設けられた長穴の対向する２つの長穴のそれぞれの長手方向の幅寸法を調整代として確保することができる。また、作業員はガイドレールを固定する際、昇降路壁とガイドレールとの水平方向の位置関係を考慮し、壁側金具の第１の面と第２の面のうち適切な面を選択して昇降路壁に固定するとともに、レール側金具の第１の面と第２の面のうち適切な面を選択してガイドレールを取付け、かつ壁側金具とレール側金具とを固定する。すなわち、壁側金具の第１の面に開口される長穴と、第２の面に開口される長穴との開口位置、また、レール側金具の第１の面に開口される長穴と、第２の面に開口される長穴との開口位置を水平方向に沿って異なるものに設定することにより、水平方向の調整代をより大きなものとすることができる。
【００１２】
また、前記目的を達成するために本発明の請求項２記載に係る発明は、前記壁側金具の前記第１の面および前記第２の面のそれぞれに、当該面が前記昇降路壁に固定されたときに鉛直方向に開口される縦長穴と、この縦長穴と直交する方向に開口される横長穴とを設けるとともに、これらの縦長穴および横長穴の短手方向の幅寸法を前記固定具の径と略同一とし、これらの縦長穴および横長穴を介して前記固定具により前記壁側金具を固定する構成にしてある。
【００１３】
前記のように構成した本発明の請求項２に係る発明によれば、壁側金具の第１の面および第２の面の一方の面を昇降路壁に当接させ、縦長穴および横長穴のそれぞれに固定具を挿通し昇降路壁に固定する。これらの縦長穴および横長穴の短手方向の幅寸法は固定具の径と略同一とされていることから、一旦固定具により壁側金具を固定すれば水平方向および奥行き方向のずれを防止することができ、したがって、固定具と壁側金具との溶着を不要とすることができる。
【００１６】
【発明の実施の形態】
以下、本発明のエレベータガイドレールの固定装置の実施の形態を図に基づいて説明する。
【００１７】
図１は本発明のエレベータガイドレールの固定装置の一実施形態を示す平面図、図２は図１とは異なる位置にガイドレールを固定した状態を示す平面図、図３は図１の正面図、図４は図１の固定装置の壁側金具を示す斜視図、図５は図１の固定装置のレール側金具を示す斜視図である。
【００１８】
一般にエレベータは図１に示すように、昇降路内に立設され、図示しない昇降体の昇降を案内するガイドレール２は固定装置１により昇降路壁３に固定されている。また、図１のガイドレール２に対向する部位にも対となる図示しない他のガイドレールが固定装置により固定されている。
【００１９】
そして、本実施形態の固定装置１を構成し、第１の面１１ａと第２の面１２ａが直交して略Ｌ字状に形成され、一方の面が昇降路壁３に固定具、すなわちアンカーボルト１ｃより固定される壁側金具１ａは図４に示すように、壁側金具１ａの第１の面１１ａおよび第２の面１２ａのそれぞれに、他方の面が昇降路壁３に固定された状態の際に水平方向、すなわちＸ軸方向に沿って斜め（金具１ａの縁に対して傾斜している）に開口される第１の長穴１１１ａ、１２１ａと、この第１の長穴１１１ａ、１２１ａと対称となるように斜めに開口される第２の長穴１１２ａ、１２２ａとが設けられる。
【００２０】
また、固定装置１を構成し、第１の面１１ｂと第２の面１２ｂが直交して略Ｌ字状に形成され、一方の面にガイドレール２が取付けられるとともに、他方の面が壁側金具１ａに固定されるレール側金具１ｂは図５に示すように、レール側金具１ｂの第１の面１１ｂおよび第２の面１２ｂのそれぞれに、第１の長穴１１１ａ、１２１ａと対向可能で、かつ交差する方向に開口される第３の長穴１１１ｂ、１２１ｂと、第２の長穴１１２ａ、１２２ａと対向可能で、かつ交差する方向に開口される第４の長穴１１２ｂ、１２２ｂと、ガイドレール２を把持するレールクリップ１ｄが取付けられるレールクリップ用穴１１３ｂ、１１４ｂ、１２３ｂ、１２４ｂが設けられている。
【００２１】
さらに、壁側金具１ａの第１の面１１ａおよび第２の面１２ａのそれぞれに、当該面が昇降路壁３に固定されたときに鉛直方向、すなわちＺ軸方向に開口される縦長穴１１３ａ、１２３ａと、この縦長穴１１３ａ、１２３ａと直交する方向に開口される横長穴１１４ａ、１２４ａとを設けるとともに、これらの縦長穴１１３ａ、１２３ａおよび横長穴１１４ａ、１２４ａの短手方向の幅寸法を固定具であるアンカーボルト１ｃの径と略同一とし、これらの縦長穴１１３ａ、１２３ａおよび横長穴１１４ａ、１２４ａを介してアンカーボルト１ｃにより壁側金具１ａを固定するようになっている。
【００２２】
さらにまた、本実施形態の固定装置１は、壁側金具１ａの第１の面１１ａに開口され対となる第１の長穴１１１ａおよび第２の長穴１１２ａと、第２の面１２ａに開口され対となる第１の長穴１２１ａおよび第２の長穴１２２ａとの開口位置をＸ軸方向に沿って異なるものに設定してあるとともに、レール側金具１ｂの第１の面１１ｂに開口され対となる第３の長穴１１１ｂおよび第４の長穴１１２ｂと、第２の面１２ｂに開口され対となる第３の長穴１２１ｂおよび第４の長穴１２２ｂとの開口位置をＸ軸方向に沿って異なるものに設定してある。
【００２３】
この実施形態にあっては、まず、作業員は昇降路壁３とこれから取付けられるガイドレール２とのＸ軸方向の位置関係を考慮して壁側金具１ａの適切な面、例えば第２の面１２ａを固定面として選択するとともに、この第２の面１２ａに開口される縦長穴１２３ａおよび横長穴１２４ａにアンカーボルト１ｃを挿通し、このアンカーボルト１ｃを昇降路壁３に打ち込み壁側金具１ａを固定する。このとき、アンカーボルト１ｃを１本ずつ打ち込めば打ち込み位置が多少ずれてもＹ軸方向およびＸ軸方向での調整を行うことが可能であり、適正な位置に壁側金具１ａを固定することができる。
【００２４】
次に、作業員は壁側金具１ａとこれから取付けられるガイドレール２とのＸ軸方向の位置関係を考慮してレール側金具１ｂの適切な面、例えば第１の面１１ｂをガイドレール２の取付け面として選択し、この第１の面１１ｂに形成されるレールクリップ用穴１１３ｂ、１１４ｂにレールクリップ１ｄを取付けるとともに、このレールクリップ１ｄにてガイドレール２を把持した後、このレール側金具１ｂの第２の面１２ｂを壁側金具１ａの第１の面１１ａに当接させる。そして、第１の長穴１１１ａと第３の長穴１２１ｂ、および第２の長穴１１２ａと第４の長穴１２２ｂをそれぞれ対向させ、それぞれの長穴１１１ａ、１２１ｂ、１１２ａ、１２２ｂの長手方向の幅寸法を用いてガイドレール２を水平方向であるＸ軸方向および奥行き方向であるＹ軸方向にあって適切な位置に調整し締結具１ｅにより固定する。例えば図１に示すように、第１の長穴１１１ａおよび第２の長穴１１２ａの長手方向の幅寸法にあって締結具１ｅを昇降路壁３から最も離れた位置とするとともに、第３の長穴１２１ｂおよび第４の長穴１２２ｂの長手方向の幅寸法にあって締結具１ｅをガイドレール２から最も離れた位置とすることにより、ガイドレール２を昇降路壁３から最も離れた位置に固定することができる。一方、図２に示すように第１の長穴１１１ａおよび第２の長穴１１２ａの長手方向の幅寸法にあって締結具１ｅを昇降路壁３に最も近い位置とするとともに、第３の長穴１２１ｂおよび第４の長穴１２２ｂの長手方向の幅寸法にあって締結具１ｅをガイドレール２に最も近い位置とすることにより、ガイドレール２を昇降路壁３に最も近い位置に固定することができる。
【００２５】
この後、壁側金具１ａとレール側金具１ｂとを溶着して位置ずれを防止することによりガイドレール２の固定作業は完了する。
【００２６】
このように構成した実施形態では、壁側金具１ａに設けられた第１の長穴１１１ａ、第２の長穴１１２ａ、およびレール側金具１ｂに設けられた第３の長穴１２１ｂ、第４の長穴１２２ｂの対向する２つの長穴、すなわち第１の長穴１１１ａと第３の長穴１２１ｂ、および第２の長穴１１２ａと第４の長穴１２２ｂのそれぞれの長手方向の幅寸法を調整代として確保することができ、これによって、ガイドレール２を大きく変位させ適切な位置に固定することができる。また、レール側金具１ｂの長穴１１１ｂ、１１２ｂ、１２１ｂ、１２２ｂは斜めに開口されることからレールクリップ用穴１１３ｂ、１１４ｂ、１２３ｂ、１２４ｂと干渉することがなく、したがって、レール側金具１ｂの小型化を図ることができる。
【００２７】
さらに、アンカーボルト１ｃが挿通される壁側金具１ａの縦長穴１２３ａおよび横長穴１２４ａの短手方向の幅寸法はアンカーボルト１ｃの径と略同一とされていることから、一旦アンカーボルト１ｃにより壁側金具１ａを固定すればＸ軸方向およびＹ軸方向のずれを防止することができ、したがって、アンカーボルト１ｃと壁側金具１ａとの溶着を不要として固定作業の簡略化を図ることができる。
【００２８】
さらにまた、壁側金具１ａの第１の面１１ａに開口される長穴１１１ａ、１１２ａと、第２の面１２ａに開口される長穴１２１ａ、１２２ａとの開口位置、また、レール側金具１ｂの第１の面１１ｂに開口される長穴１１１ｂ、１１２ｂと、第２の面１２ｂに開口される長穴１２１ｂ、１２２ｂとの開口位置をＸ軸方向に沿って異なるものに設定することにより、水平方向、すなわちＸ軸方向の調整代をより大きなものとすることができる。
【００２９】
なお、本実施形態では壁側金具１ａの第１の面１１ａに開口される長穴１１１ａ、１１２ａと、第２の面１２ａに開口される長穴１２１ａ、１２２ａとの開口位置、また、レール側金具１ｂの第１の面１１ｂに開口される長穴１１１ｂ、１１２ｂと、第２の面１２ｂに開口される長穴１２１ｂ、１２２ｂとの開口位置を異なるように設定したが、本発明はこれに限らず、壁側金具のそれぞれの面に開口され対となる長穴、すなわち第１の長穴と第２の長穴、あるいはレール側金具のそれぞれの面に開口され対となる長穴、すなわち第３の長穴と第４の長穴をＸ軸方向に沿って複数開口することによっても同様の効果、すなわち、より大きな調整代を確保することができる。また、壁側金具の第１の面に開口される長穴と、第２の面に開口される長穴との開口位置、また、レール側金具の第１の面に開口される長穴と、第２の面に開口される長穴との開口位置を同一に設定してもよく、この場合、どちらの面を固定面あるいはガイドレール取付け面として選択しても同様であることから、作業者の判断作業を低減し、したがって、作業効率の向上を図ることができる。
【００３０】
【発明の効果】
本発明の請求項１に係る発明によれば、壁側金具に設けられた長穴およびレール側金具に設けられた長穴の対向する２つの長穴のそれぞれの長手方向の幅寸法を調整代として確保することができ、これによって、ガイドレールを大きく変位させ適切な位置に固定することができる。また、レール側金具の長穴は斜めに開口されることからレールクリップ用穴と干渉することがなく、したがって、レール側金具の小型化を図ることができる。さらに、壁側金具の第１の面に開口され対となる長穴と、第２の面に開口され対となる長穴との開口位置、また、レール側金具の第１の面に開口され対となる長穴と、第２の面に開口され対となる長穴との開口位置を水平方向に沿って異なるものに設定することにより、水平方向の調整代をより大きなものとすることができる。
【００３１】
また、本発明の請求項２に係る発明によれば、固定具が挿通される壁側金具の縦長穴および横長穴の短手方向の幅寸法は固定具の径と略同一とされていることから、一旦固定具により壁側金具を固定すれば水平方向および奥行き方向のずれを防止することができ、したがって、固定具と壁側金具との溶着を不要として固定作業の簡略化を図ることができる。
【図面の簡単な説明】
【図１】本発明のエレベータガイドレールの固定装置の一実施形態を示す平面図である。
【図２】図１とは異なる位置にガイドレールを固定した状態を示す平面図である。
【図３】図１の正面図である。
【図４】図１の固定装置の壁側金具を示す斜視図である。
【図５】図１の固定装置のレール側金具を示す斜視図である。
【符号の説明】
１  固定装置
２  ガイドレール
３  昇降路壁
１ａ  壁側金具
１ｂ  レール側金具
１ｃ  アンカーボルト
１ｄ  レールクリップ
１１ａ、１１ｂ  第１の面
１２ａ、１２ｂ  第２の面
１１１ａ、１２１ａ  第１の長穴
１１１ｂ、１２１ｂ  第３の長穴
１１２ａ、１２２ａ  第２の長穴
１１２ｂ、１２２ｂ  第４の長穴
１１３ａ、１２３ａ  縦長穴
１１４ａ、１２４ａ  横長穴
【図１】
0003961872.tif 000002
【図２】
0003961872.tif 000003
【図３】
0003961872.tif 000004
【図４】
0003961872.tif 000005
【図５】
0003961872.tif 000006